【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
検出された音響波形を第1のモードおよび第2のモードで処理するためのシステムであって、
1つまたは複数の音響波形を検出するように構成されたマイクロフォンと、
異なる処理モードに対応する1つまたは複数のタッチレスジェスチャを検出するように構成されたジェスチャ検出センサと、
前記マイクロフォンによって検出された前記1つまたは複数の音響波形と、前記ジェスチャ検出センサによって検出された前記1つまたは複数のタッチレスジェスチャとにタイムスタンプを提供するように構成されたシステムクロックであって、前記1つまたは複数のタッチレスジェスチャの前記タイムスタンプは、それぞれの検出されたタッチレスジェスチャの開始時間と終了時間とを示す、システムクロックと、
前記1つまたは複数の音響波形と前記1つまたは複数のタッチレスジェスチャに関する情報とを記憶するように構成されたバッファと、
前記検出された音響波形のタイムスタンプが前記ジェスチャ検出センサによって検出された前記第2のモードに対応する第1のタッチレスジェスチャの第1のタイムスタンプと、前記1つまたは複数のタッチレスジェスチャのうちの1つに関連する第2のタイムスタンプとの間であるときに、前記第2のモードに入るとともに前記第2のモードで前記バッファに記憶された検出された音響波形を選択的に処理するように構成された1つまたは複数のプロセッサと
を含むシステム。
【請求項２】
前記1つまたは複数のプロセッサは、検出された音響波形のタイムスタンプが前記第1のタイムスタンプより前であるか、または前記第2のタイムスタンプより後であるとき、前記検出された音響波形を前記第1のモードで処理するようにさらに構成される、請求項1に記載のシステム。
【請求項３】
前記第1のモードで処理される検出された音響波形に関する第1の意味および前記第2のモードで処理されるいくつかの検出された音響波形に関する第2の意味を記憶するメモリをさらに含む、請求項1に記載のシステム。
【請求項４】
前記第2の意味は、コマンド、句読点、またはアクションのうちの少なくとも1つを含む、請求項3に記載のシステム。
【請求項５】
前記第1の意味は、前記検出された音響波形に関連するテキストを含む、請求項4に記載のシステム。
【請求項６】
前記ジェスチャ検出センサは、カメラ、超音波トランスデューサ、影検出器、または赤外線センサのうちの少なくとも1つを含む、請求項1に記載のシステム。
【請求項７】
ディスプレイをさらに含み、前記ディスプレイは、前記検出された音響波形が前記第2のモードで処理されているときに示すフィードバックを表示するように構成される、請求項1に記載のシステム。
【請求項８】
前記1つまたは複数のタッチレスジェスチャの各々は、複数のモードのそれぞれのモードに対応し、
前記1つまたは複数のプロセッサは、前記複数のモードのうちの1つのモードで前記マイクロフォンによって検出された音響波形を、
前記検出された音響波形のタイムスタンプが、前記ジェスチャ検出センサによって検出された、前記1つのモードに対応する前記1つまたは複数のタッチレスジェスチャのうちの1つのタッチレスジェスチャの開始に対応するタイムスタンプと、前記1つのタッチレスジャスチャの最後に対応するタイムスタンプとの間であるときに、または、
前記検出された音響波形のタイムスタンプが、前記1つのタッチレスジェスチャの前記開始に対応する前記タイムスタンプと、次に検出されたタッチレスジェスチャの開始に対応するタイムスタンプとの間であるときに
選択的に処理するように構成される、請求項1に記載のシステム。
【請求項９】
前記複数のモードは、訂正モード、コマンドモード、または変換モードのうちの少なくとも1つを含む、請求項8に記載のシステム。
【請求項１０】
前記検出された音響波形は、前記ジェスチャ検出センサによって検出された前記1つまたは複数のタッチレスジェスチャに基づいて処理するために前記バッファから前記1つまたは複数のプロセッサに提供される、請求項1に記載のシステム。
【請求項１１】
前記1つまたは複数のプロセッサは、前記マイクロフォンが音響波形を検出したときに、前記ジェスチャ検出センサを使用するジェスチャ検出手順を有効にするように構成される、請求項1に記載のシステム。
【請求項１２】
前記ジェスチャ検出センサは、前記検出された音響波形が人間の音声であると判断されるまで非アクティブである、請求項11に記載のシステム。
【請求項１３】
前記第2のモードは、訂正モード、コマンドモード、または変換モードのうちの1つを含む、請求項1に記載のシステム。
【請求項１４】
前記第1のタッチレスジェスチャの前記第1のタイムスタンプは、前記第1のタッチレスジェスチャの開始に対応し、
前記第2のタイムスタンプは、前記第1のタッチレスジェスチャの終了に対応する、請求項1に記載のシステム。
【請求項１５】
前記第1のタッチレスジェスチャの前記第1のタイムスタンプは、前記第1のタッチレスジェスチャの開始に対応し、
前記第2のタイムスタンプは、前記第1のモードに対応する次に検出されたタッチレスジェスチャの開始に対応する、請求項1に記載のシステム。
【請求項１６】
前記1つまたは複数の音響波形の前記タイムスタンプは、言葉の間の休止でキャプチャされる、請求項1に記載のシステム。
【請求項１７】
前記1つまたは複数の音響波形の前記タイムスタンプは、複数の言葉を含む列の始まりと終わりとでキャプチャされるとともに、個々の言葉のタイムスタンプは、前記列の始まりと終わりとでキャプチャされた前記タイムスタンプを補間することによって決定される、請求項1に記載のシステム。
【請求項１８】
検出された音響波形を第1のモードおよび第2のモードで処理するための方法であって、
マイクロフォンによって、1つまたは複数の音響波形を検出するステップと、
前記検出された1つまたは複数の音響波形にタイムスタンプするステップと、
1つまたは複数のモードに対応する1つまたは複数のタッチレスジェスチャを、ジェスチャ検出センサによって検出するステップと、
前記検出された1つまたは複数のタッチレスジェスチャの各々の開始時間と終了時間とにタイムスタンプするステップと、
前記1つまたは複数の音響波形と前記1つまたは複数のタッチレスジェスチャに関する情報とをバッファに記憶するステップと、
前記マイクロフォンに結合された1つまたは複数のプロセッサによって、前記音響波形のタイムスタンプが、前記ジェスチャ検出センサによって検出された前記第2のモードに対応する第1のタッチレスジェスチャの第1のタイムスタンプと、前記1つまたは複数のタッチレスジャスチャのうちの1つに関連する第2のタイムスタンプとの間であるときに、前記第2のモードに入るとともに、前記1つまたは複数の音響波形のうちの音響波形を前記第2のモードで選択的に処理するステップと
を含む方法。
【請求項１９】
前記第1のタッチレスジェスチャの前記第1のタイムスタンプが前記第1のタッチレスジェスチャの開始に対応し、前記第2のタイムスタンプが、前記第1のタッチレスジェスチャの終了、または前記第1のモードに対応する次に検出されたタッチレスジェスチャの開始に対応する、請求項18に記載の方法。
【請求項２０】
前記音響波形のタイムスタンプが、前記第1のタイムスタンプより前であるか、または前記第2のタイムスタンプより後であるとき、前記音響波形を前記第1のモードで処理するステップ
をさらに含む、請求項18に記載の方法。
【請求項２１】
前記音響波形を前記第2のモードで処理するステップは、前記音響波形を、前記第1のモードに対応する第1の意味とは異なる意味と相関させるステップを含む、請求項18に記載の方法。
【請求項２２】
前記第1の意味とは異なる前記意味は、コマンド、句読点、またはアクションのうちの少なくとも1つを含む、請求項21に記載の方法。
【請求項２３】
前記第1の意味は、前記音響波形に関連するテキストを含む、請求項22に記載の方法。
【請求項２４】
前記1つまたは複数のタッチレスジェスチャを検出するステップは、前記1つまたは複数のタッチレスジェスチャがカメラ、超音波トランスデューサ、影検出器、または赤外線センサのうちの少なくとも1つを使用して実行されたかどうかを検出するステップを含む、請求項18に記載の方法。
【請求項２５】
前記音響波形を前記第2のモードで処理するステップは、前記音響波形が前記第2のモードで処理されていることを示す音響または視覚フィードバックを生成するステップを含む、請求項18に記載の方法。
【請求項２６】
前記1つまたは複数のタッチレスジェスチャの各々は、前記1つまたは複数のそれぞれのモードに対応し、
選択的に処理するステップは、
前記音響波形のタイムスタンプが、前記ジェスチャ検出センサによって検出された前記1つのタッチレスジェスチャの開始に対応するタイムスタンプと、前記1つのタッチレスジェスチャの終了に対応するタイムスタンプとの間であるときに、または、
前記音響波形のタイムスタンプが、前記1つのタッチレスジェスチャの前記開始に対応する前記タイムスタンプと、前記1つまたは複数のタッチレスジェスチャの次に検出されたタッチレスジェスチャの開始に対応するタイムスタンプとの間であるときに、
前記音響波形を、前記1つまたは複数のタッチレスジェスチャのうちの1つのタッチレスジェスチャに対応する前記1つまたは複数のモードのうちのモードで選択的に処理するステップを含む、請求項18に記載の方法。
【請求項２７】
前記1つまたは複数のタッチレスジェスチャが検出されたときに、前記バッファから前記1つまたは複数の音響波形を提供するステップと
をさらに含む、請求項18に記載の方法。
【請求項２８】
前記マイクロフォンが音響波形を検出したことに応答して、ジェスチャ検出手順を有効にするステップをさらに含む、請求項18に記載の方法。
【請求項２９】
1つまたは複数のプロセッサによって実行されたときに、前記1つまたは複数のプロセッサに、検出された音響波形を第1のモードおよび第2のモードで処理するための方法を実行させる命令を含む非一時的コンピュータ可読記憶媒体であって、前記方法は、
1つまたは複数の音響波形を検出するステップと、
前記検出された1つまたは複数の音響波形にタイムスタンプするステップと、
1つまたは複数のモードに対応する1つまたは複数のタッチレスジェスチャを検出するステップと、
前記検出された1つまたは複数のタッチレスジェスチャの各々の開始時間と終了時間にタイムスタンプするステップと、
前記1つまたは複数の音響波形と1つまたは複数のジェスチャに関する情報とをバッファに記憶するステップと、
前記音響波形のタイムスタンプがジェスチャ検出センサによって検出された前記第2のモードに対応する前記1つまたは複数のタッチレスジェスチャの第1のタッチレスジェスチャの第1のタイムスタンプと、前記1つまたは複数のタッチレスジェスチャのうちの1つに関連する第2のタイムスタンプとの間であるときに、前記第2のモードに入るとともに前記1つまたは複数の音響波形のうちの音響波形を前記第2のモードで選択的に処理するステップと
を含む、非一時的コンピュータ可読記憶媒体。
【請求項３０】
検出された音響波形を第1のモードおよび第2のモードで処理するためのシステムであって、
1つまたは複数の音響波形を検出し、前記1つまたは複数の音響波形にタイムスタンプするための手段と、
1つまたは複数のモードに対応する1つまたは複数のタッチレスジェスチャを検出し、前記検出された1つまたは複数のタッチレスジェスチャの各々の開始時間と終了時間にタイムスタンプするための手段と、
前記1つまたは複数の音響波形と1つまたは複数のジェスチャに関する情報とを記憶するための手段と、
前記音響波形のタイムスタンプが、前記第2のモードに対応する前記1つまたは複数のタッチレスジェスチャの第1の検出されたタッチレスジェスチャの第1のタイムスタンプと、前記1つまたは複数のタッチレスジェスチャのうちの1つに関連する第2のタイムスタンプとの間であるときに、前記第2のモードに入るとともに前記1つまたは複数の音響波形からの音響波形を前記第2のモードで選択的に処理するための手段と
を含むシステム。
【請求項３１】
前記第1の検出されたタッチレスジェスチャの前記第1のタイムスタンプは、前記第1の検出されたタッチレスジェスチャの開始に対応し、
前記第2のタイムスタンプは、前記第1の検出されたタッチレスジェスチャの終了、または前記第1のモードに対応する次に検出されたタッチレスジェスチャの開始に対応する、請求項30に記載のシステム。
【請求項３２】
選択的に処理するための前記手段は、前記音響波形のタイムスタンプが前記第1のタイムスタンプより前であるか、または前記第2のタイムスタンプより後であるときに、前記音響波形を前記第1のモードで処理する、請求項30に記載のシステム。
【請求項３３】
選択的に処理するための前記手段は、前記音響波形を、前記第1のモードに対応する第1の意味とは異なる第2の意味と相関させることによって、前記音響波形を前記第2のモードで処理する、請求項30に記載のシステム。
【請求項３４】
前記第1の意味とは異なる前記第2の意味は、コマンド、句読点、またはアクションのうちの少なくとも1つを含む、請求項33に記載のシステム。
【請求項３５】
前記第1の意味は、前記音響波形に関連するテキストを含む、請求項34に記載のシステム。
【請求項３６】
前記1つまたは複数のタッチレスジェスチャを検出するための前記手段は、カメラ、超音波トランスデューサ、影検出器、または赤外線センサのうちの少なくとも1つを含む、請求項30に記載のシステム。
【請求項３７】
選択的に処理するための前記手段は、前記音響波形が前記第2のモードで処理されていることを示す音響または視覚フィードバックを生成する、請求項30に記載のシステム。
【請求項３８】
前記1つまたは複数のタッチレスジェスチャの各々は、前記1つまたは複数のモードのそれぞれのモードに対応し、
選択的に処理するための前記手段は、
前記音響波形のタイムスタンプが、ジェスチャ検出センサによって検出された前記1つのタッチレスジェスチャの開始に対応するタイムスタンプと、前記1つのタッチレスジェスチャの終了に対応するタイムスタンプとの間であるときに、または
前記音響波形のタイムスタンプが、前記1つのタッチレスジェスチャの前記開始に対応する前記タイムスタンプと、前記1つまたは複数のタッチレスジェスチャの次に検出されたタッチレスジェスチャの開始に対応するタイムスタンプとの間であるときに、
前記音響波形を、前記1つまたは複数のタッチレスジェスチャのうちの1つのタッチレスジェスチャに対応する前記1つまたは複数のモードのうちのモードで選択的に処理するための手段を含む、請求項30に記載のシステム。
【請求項３９】
前記1つまたは複数のタッチレスジェスチャを検出するための前記手段が前記1つまたは複数のタッチレスジェスチャを検出したときに、前記音響波形を記憶するための手段が、前記記憶された音響波形を、選択的に処理するための前記手段に提供する、請求項30に記載のシステム。